(57)【要約】【課題】シート又はフィルム状掲示物の交換作業を簡単に且つ速やかに行うことができると共に表示板への掲示物の取付けまたは固定も確実に行える表示装置を提供する。【解決手段】表示装置Ｓ１は、合成樹脂で形成された一対の棒状体である支柱体１Ａ及び支柱体１Ａへ着脱可能な表示板２Ａと、表示板２Ａに着脱可能で合成樹脂シートに文字等を印刷した掲示物３を備える。表示板２Ａは１ｍｍ厚の透明な合成樹脂の板状体を真空成型により平面視長方形に形成している。表示板２Ａは、その周縁の縦及び横方向の各辺に沿って溝状に窪ませて形成した嵌着溝２１０〜２１３が設けられ、該嵌着溝２１０〜２１３にはそれとほぼ直角に交差するように周方向へアーチ状に窪ませて形成した補強部２４０が複数設けられ、該補強部２４０近傍の嵌着溝２１０〜２１３正面側開口部には溝幅方向へ突設した係止爪２２０が複数設けられている。【選択図】図１
2009092962.tif 000002
【特許請求の範囲】
【請求項１】
シート又はフィルム状掲示物の表示装置(S1,S2,S3,S4)であって、
棒状の嵌入体(1A,1B,4B)と、
該嵌入体を着脱可能に嵌着する溝(210,211,212,213)を形成した表示板(2A,2B,2C)を備え、
上記表示板(2A,2B,2C)は、可撓性又は弾性を有するプラスチックシート又はフィルムを真空成形又は圧空成形することにより形成してあり、
上記溝(210,211,212,213)は表示板(2A,2B,2C)の外縁近傍に設けられて表示板に所要の剛性を付与しており、
上記溝(210,211,212,213)の開口部には、溝幅よりも狭く形成された又は溝側方向に向けて突設され圧入された嵌入体が取り外れるのを防止する係止部(220)が形成されており、該係止部の近傍には、嵌入体が溝から取り外れる方向に係止部が動くのを防ぐか又は妨げる溝又は隆起(240)が形成されている、
表示装置。
【請求項２】
シート又はフィルム状掲示物の表示装置(S1,S2,S3,S4)であって、
棒状の嵌入体(1A,1B,4B)と、
該嵌入体を着脱可能に嵌着する溝(210,211,212,213)を形成した表示板(2A,2B,2C)と、
該表示板に取付けまたは固定されるシート又はフィルム状掲示物(3)を備え、
上記表示板(2A,2B,2C)は、可撓性又は弾性を有するプラスチックシート又はフィルムを真空成形又は圧空成形することにより形成してあり、
上記溝(210,211,212,213)は表示板(2A,2B,2C)の外縁近傍に設けられて表示板に所要の剛性を付与しており、
上記溝(210,211,212,213)の開口部には、溝幅よりも狭く形成された又は溝側方向に向けて突設され圧入された嵌入体が取り外れるのを防止する係止部(220)が形成されており、該係止部の近傍には、嵌入体が溝から取り外れる方向に係止部が動くのを防ぐか又は妨げる溝又は隆起(240)が形成されている、
表示装置。
【請求項３】
シート又はフィルム状掲示物の表示装置(S3)であって、
棒状の表示板の支柱(1A,1B)と、
該支柱を着脱可能に嵌着する溝(210,211,212,213)及び孔状又は溝状の掲示物嵌着部(250)を形成した表示板(2B)と、
該表示板に取付けまたは固定されるシート又はフィルム状掲示物(3)と、
掲示物(3)を取着するための嵌入体(4A)を備え、
上記表示板(2B)は、可撓性又は弾性を有するプラスチックシート又はフィルムを真空成形又は圧空成形することにより形成してあり、
上記溝(210,211,212,213)は表示板(2B)の外縁近傍に設けられて表示板に所要の剛性を付与しており、
上記掲示物嵌着部(250)は、上記溝(210,211,212,213)に囲まれた内側の箇所に設けられており、                                                             
上記溝(210,211,212,213)の開口部には、溝幅よりも狭く形成された又は溝側方向に向けて突設され圧入された嵌入体が取り外れるのを防止する係止部(220)が形成されており、該係止部の近傍には、嵌入体が溝から取り外れる方向に係止部が動くのを防ぐか又は妨げる溝又は隆起(240)が形成されている、
表示装置。
【請求項４】
嵌入体(1A,1B)が表示板の支柱を兼ねている、
請求項１，２または３記載の表示装置。
【請求項５】
嵌入体(1A,1B)が表示板の支柱を兼ねており、垂直方向に設けられた一対の支柱間に二本の棒状体を架設してあるものである、
請求項１，２または３記載の表示装置。
【請求項６】
シート又はフィルム状掲示物の表示装置(S4)であって、
掲示物(3)を取着するための嵌入体(4B)と、
該嵌入体を着脱可能に嵌着する溝(210,211,212,213)を形成した表示板(2C)と、
該表示板に取付けまたは固定されるシート又はフィルム状掲示物(3)と、
表示板(2C)を取着対象物(6)に取り付けるための取着手段(7)を備え、
上記表示板(2C)は、可撓性又は弾性を有するプラスチックシート又はフィルムを真空成形又は圧空成形することにより形成してあり、
上記溝(210,211,212,213)は、少なくとも縦方向にわたって表示板(2A,2B,2C)の外縁近傍に設けられて表示板に所要の剛性を付与しており、
上記溝(210,211,212,213)の開口部には、溝幅よりも狭く形成された又は溝側方向に向けて突設され圧入された嵌入体が取り外れるのを防止する係止部(220)が形成されており、該係止部の近傍には、嵌入体が溝から取り外れる方向に係止部が動くのを防ぐか又は妨げる溝又は隆起(240)が形成されている、
表示装置。
【請求項７】
表示板(2A,2B,2C)は、１．５ｍｍ以下の板厚である合成樹脂板を加工したものである、
請求項１，２，３または５記載の表示装置。
【発明の詳細な説明】
【技術分野】
【０００１】
本発明は表示装置に関する。更に詳しくは、シート又はフィルム状掲示物の交換作業が簡単に且つ速やかに行うことができる共に表示板への掲示物の取付けまたは固定も確実に行うことができる表示装置に関する。
また、薄い板厚の表示板であっても掲示物を掲示するのに必要な剛性を付与することができる表示装置に関する。
更に、保管や運搬に際して嵩張らない表示装置に関する。
【背景技術】
【０００２】
従来より、店頭等における商品の宣伝や道路工事等の告知を行う表示装置として、土地に定着していない移動可能な立て看板が使用されており、このような立て看板として、例えば下記特許文献１に示すような組み立て式簡易立て看板をあげることができる。この看板は、枠体として左右一対の縦ポール及び上下一対の横管を備え、ポールと横管の間に広告表示シートを掛け渡すようにしたものである。特許文献１に示す看板は、広告表示シートを交換することによって多様な広告及び掲示物の表示が可能である。
【０００３】
【特許文献１】実開平６−２８８７９号
【発明の開示】
【発明が解決しようとする課題】
【０００４】
しかし、特許文献１にかかる看板は下記の課題を有している。
(1)表示内容を変更する際には新たに広告表示シートを作成する必要があるが、このシートには上下に横管を挿通可能な袋状部を形成する必要があり、その分製造に当たって工程が増える。
(2)広告表示シートを交換するには縦ポールと横管との四箇所の結合を解く必要があり、その分交換作業に手間を要する。
【０００５】
本発明者は、広告表示シートを掲示するに当たり、表示手段として表示板を使用し、この表示板に広告表示シートを取り替え可能に掲示すれば、上記課題が解決できることに着目し、その実現に向かって研究を重ねた。
【０００６】
その際に、次の事項を考慮した。
即ち、一般的な立て看板は、予め工場や作業場などで製造し、保管しておき、それが必要な現場迄運搬し、そこで組み立てて使用される。そのためには保管や運搬が容易な構造とすることが要求され、その要求に応えるには部品点数を少なくすると共に軽量なことも必要である。
また、少ない材料で製作できることは、限りある資源の有効利用に貢献できるばかりでなく製造コストの低減にも貢献できる。
【０００７】
そこで、本発明者は表示板の材料として板厚の薄いプラスチックシート又はフィルムを使用し、これを真空成形又は圧空成形して表示板面に溝を形成し、溝に嵌め込む嵌入体との間で広告表示シートを挟着する構造にすれば、(ア)広告表示シートの取り替えが容易にでき、(イ)軽量化が図れるだけでなく表示板を重ねたときの嵩張りも最小限に止めることができることから保管や運搬が容易であり、(ウ)部品点数も少なくできるため資源の有効利用に貢献できるばかりでなく製造コストの低減にも貢献できることに着目した。
また、広告表示シートを取付けまたは固定する嵌入体を表示板を支える支柱と兼用すれば広告表示シートを取付けまたは固定する部材が不要となり、これによって更に部品点数も少なくなることがわかった。
【０００８】
そこで、試験的にプラスチックシートで板面に溝を形成した表示板を製作し、嵌入体との間で広告表示シートを挟着したところ、嵌入体が溝から取り外れるなど必ずしも広告表示シートの取付けまたは固定が十分でなかった。その原因を調べたところ、表示板の弾性変形や撓みによって溝の開口部が拡がり嵌入体が溝から取り外れることによって広告表示シートが表示板から取り外れることがわかった。本発明者は更に研究開発を重ね、上記課題を解決する表示装置を完成するに至った。
【０００９】
（発明の目的）
本発明の目的は、シート又はフィルム状掲示物の交換作業を簡単に且つ速やかに行うことができると共に表示板への掲示物の取付けまたは固定も確実に行うことができる表示装置を提供することにある。
また、本発明の他の目的は、薄い板厚の表示板であっても掲示物を掲示するのに所要な剛性を付与することができる表示装置を提供することにある。
更に、本発明の他の目的は、保管や運搬に際して嵩張らない表示装置を提供することにある。
【課題を解決するための手段】
【００１０】
上記目的を達成するために講じた本発明の手段は次のとおりである。
本発明は、
シート又はフィルム状掲示物の表示装置(S1,S2,S3,S4)であって、
棒状の嵌入体(1A,1B,4B)と、
該嵌入体を着脱可能に嵌着する溝(210,211,212,213)を形成した表示板(2A,2B,2C)を備え、
上記表示板(2A,2B,2C)は、可撓性又は弾性を有するプラスチックシート又はフィルムを真空成形又は圧空成形することにより形成してあり、
上記溝(210,211,212,213)は表示板(2A,2B,2C)の外縁近傍に設けられて表示板に所要の剛性を付与しており、
上記溝(210,211,212,213)の開口部には、溝幅よりも狭く形成された又は溝側方向に向けて突設され圧入された嵌入体が取り外れるのを防止する係止部(220)が形成されており、該係止部の近傍には、嵌入体が溝から取り外れる方向に係止部が動くのを防ぐか又は妨げる溝又は隆起(240)が形成されている、
表示装置である。
【００１１】
本発明は、
シート又はフィルム状掲示物の表示装置(S1,S2,S3,S4)であって、
棒状の嵌入体(1A,1B,4B)と、
該嵌入体を着脱可能に嵌着する溝(210,211,212,213)を形成した表示板(2A,2B,2C)と、
該表示板に取付けまたは固定されるシート又はフィルム状掲示物(3)を備え、
上記表示板(2A,2B,2C)は、可撓性又は弾性を有するプラスチックシート又はフィルムを真空成形又は圧空成形することにより形成してあり、
上記溝(210,211,212,213)は表示板(2A,2B,2C)の外縁近傍に設けられて表示板に所要の剛性を付与しており、
上記溝(210,211,212,213)の開口部には、溝幅よりも狭く形成された又は溝側方向に向けて突設され圧入された嵌入体が取り外れるのを防止する係止部(220)が形成されており、該係止部の近傍には、嵌入体が溝から取り外れる方向に係止部が動くのを防ぐか又は妨げる溝又は隆起(240)が形成されている、
表示装置である。
【００１２】
本発明は、
シート又はフィルム状掲示物の表示装置(S3)であって、
棒状の表示板の支柱(1A,1B)と、
該支柱を着脱可能に嵌着する溝(210,211,212,213)及び孔状又は溝状の掲示物嵌着部(250)を形成した表示板(2B)と、
該表示板に取付けまたは固定されるシート又はフィルム状掲示物(3)と、
掲示物(3)を取着するための嵌入体(4A)を備え、
上記表示板(2B)は、可撓性又は弾性を有するプラスチックシート又はフィルムを真空成形又は圧空成形することにより形成してあり、
上記溝(210,211,212,213)は表示板(2B)の外縁近傍に設けられて表示板に所要の剛性を付与しており、
上記掲示物嵌着部(250)は、上記溝(210,211,212,213)に囲まれた内側の箇所に設けられており、                                                             
上記溝(210,211,212,213)の開口部には、溝幅よりも狭く形成された又は溝側方向に向けて突設され圧入された嵌入体が取り外れるのを防止する係止部(220)が形成されており、該係止部の近傍には、嵌入体が溝から取り外れる方向に係止部が動くのを防ぐか又は妨げる溝又は隆起(240)が形成されている、
表示装置である。
【００１３】
なお、上記発明は、嵌入体(1A,1B)が表示板の支柱を兼ねていても良い。
【００１４】
また、上記発明は、嵌入体(1A,1B)が表示板の支柱を兼ねており、垂直方向に設けられた一対の支柱間に二本の棒状体を架設してあるものであっても良い。
【００１５】
本発明は、
シート又はフィルム状掲示物の表示装置(S4)であって、
掲示物(3)を取着するための嵌入体(4B)と、
該嵌入体を着脱可能に嵌着する溝(210,211,212,213)を形成した表示板(2C)と、
該表示板に取付けまたは固定されるシート又はフィルム状掲示物(3)と、
表示板(2C)を取着対象物(6)に取り付けるための取着手段(7)を備え、
上記表示板(2C)は、可撓性又は弾性を有するプラスチックシート又はフィルムを真空成形又は圧空成形することにより形成してあり、
上記溝(210,211,212,213)は、少なくとも縦方向にわたって表示板(2A,2B,2C)の外縁近傍に設けられて表示板に所要の剛性を付与しており、
上記溝(210,211,212,213)の開口部には、溝幅よりも狭く形成された又は溝側方向に向けて突設され圧入された嵌入体が取り外れるのを防止する係止部(220)が形成されており、該係止部の近傍には、嵌入体が溝から取り外れる方向に係止部が動くのを防ぐか又は妨げる溝又は隆起(240)が形成されている、
表示装置である。
【００１６】
上記発明は、表示板(2A,2B,2C)が１．５ｍｍ以下の板厚である合成樹脂板を加工したものであっても良い。
【００１７】
本明細書及び本特許請求の範囲にいう表示板に取付けまたは固定されるシート又はフィルム状掲示物としては、可撓性又は柔軟性を有する合成樹脂素材により形成されたシートに印刷等したものが好適に使用されるが、これに限定するものではなく、例えば掲示物として、印刷した紙や布、不織布をそのまま使用しても良いし、印刷した紙等をビニールシート等によりコーティングしたもの等であってもよい。
【００１８】
本明細書及び本特許請求の範囲にいう表示板としては、可撓性又は弾性を有する透明又は半透明のポリエチレン、ポリプロピレン、ポリエチレンテレフタラート、ＡＢＳ樹脂、ポリカーボネート等の合成樹脂の板状体が好適に使用されるが、これに限定するものではなく、例えば、表示板の一部又は全部が非透過性の有色のものであってもよいし、他の合成樹脂を除外するものでもない。また、表示板の形状としては、例えば、平板が挙げられるが、これに限定するものではなく、表示板の中央が膨らんだ断面視円弧状の曲面を備えるもの等の各種公知形状であってもよい。
【００１９】
本明細書及び本特許請求の範囲の各「嵌入体が溝から取り外れる方向に係止部が動くのを防ぐか又は妨げる溝又は隆起」は、溝の幅方向に対してＵ字状又はアーチ状に設けられたものであってもよく、また、各溝又は隆起の形状は、溝の長さ方向の断面形状において凵字状、Ｖ字状になるよう窪ませたもの、あるいはＵ字状、半円弧状になるよう窪ませたもの等であってもよく、特にその形状を限定するものではない。
【００２０】
本明細書及び本特許請求の範囲にいう嵌入体は、表示板に形成された溝あるいは掲示物嵌着部の形状によってその形状及び材質を適宜変更してもよい。
例えば、掲示物嵌着部が孔状のものである場合は、嵌入体は、該孔と嵌合した時に脱落しにくい形状または大きさの凸部を有するリベット状のものであってもよいし、帯板の所用箇所に複数の上記凸部が形成されたもの等であってもよい。
また、溝あるいは溝状の掲示物嵌着部である場合は、嵌入体は、該溝と嵌合した時に脱落しにくい形状または大きさの棒状体または紐状体であって、溝とほぼ同じ長さものであってもよいし、溝よりも短い長さのものであってもよい。更に、上下及び両側部の溝が各角部で交わったもの（正面視で溝の形状が四角のもの）については、当該溝の全長と同じ長さの輪に形成された紐状体、または、四角枠を備えた棒状体等であってもよい。
なお、嵌入体の材質は、表示板と同じ素材が好適であるが、当該素材に限定するものではなく、例えば、天然又は合成ゴム、アルミニウム、鉄、ステンレススチール等の金属、木材、竹材、天然又は化学繊維、またはこれらを組み合わせたもの等であってもよい。
【００２１】
本明細書及び特許請求の範囲にいう「表示板」は、その表面又は裏面のいずれか一方、あるいは、表示板の表裏両面へ、文字、図、写真のいずれか又はこれらを組み合わせた表示が直接印刷してあるものであっても良い。また、文字、図、写真のいずれか又はこれらを組み合わせた表示等のシールを貼り付けしても良いし、あるいは、上記印刷及びシールを組み合わせて表示を行っても良い。
【００２２】
本明細書及び本特許請求の範囲にいう取着対象物には、例えば、壁面、電柱などの円柱、建造物の角柱等が挙げられるが、これらに限定するものではない。
【００２３】
また、本明細書及び本特許請求の範囲にいう取着手段には、例えば、上記壁面に取着するための両面テープ、接着剤、面ファスナー等、円柱、角柱に取着するための紐状体、帯状体等が挙げられるが、これらに限定するものではない。
【００２４】
本明細書及び本特許請求の範囲にいう表示板の板厚は、その表示板の大きさや設置する環境、製造コスト等に応じて適宜変更可能であり、例えば１．５ｍｍ以下のものが挙げられるが、これに限定するものではなく、最低限必要な剛性を備える０．３ｍｍ以上であって１．５ｍｍ以下が好ましく、更に好ましくは０．４ｍｍ以上１．０ｍｍ以下であることが好ましい。
【００２５】
（作  用）
本発明に係る表示装置の作用を説明する。なお、ここでは、本発明の各構成要件のそれぞれに、後述する実施の形態において各部に付与した符号を対応させて付与し説明するが、この符号の付与は、あくまで説明の理解を容易にするためであって各構成要件の上記各部への限定を意味するものではない。
【００２６】
（表示板に文字等が直接印刷等されている場合）
表示板(2A,2B)に設けられた溝(210,211,212,213)へ嵌入体を兼ねた支柱体(1A,1B)を嵌め入れ、表示装置（S1,S2,S3)を組み立てる。
具体的には、支柱体(1A,1B)を対応する溝(210,211,212,213)へ押し込むと、表示板(2A,2B)が撓んで押し込まれた溝(210,211,212,213)の開口部が一時的に拡がり、支柱体(1A,1B)が溝(210,211,212,213)へ入り込む。
【００２７】
そして、支柱体(1A,1B)を押し込まれた後の溝(210,211,212,213)は、その形状が元の形に復帰するとともに、支柱体(1A,1B)が係止部分(220)によって係止され、更に該係止部の近傍に設けられた溝又は隆起(240)により溝が幅方向へ拡がることが抑止される。この結果、支柱体(1A,1B)は溝(210,211,212,213)の開口部から脱落しないよう保持される。
【００２８】
上記組立後、表示装置（S1,S2,S3)を垂直方向に立ち上げると、表示板(2A,2B)の表面等に印刷等された文字、図、写真等が表示され、通行人等への視覚効果及び訴求効果が期待できる。
【００２９】
なお、掲示された表示板(2A,2B)を入れ替えたい場合は、取付済みの表示板(2A,2B)を支柱体(1A,1B)の上方にを引き抜く、または、表示板(2A,2B)を撓ませて溝(210,211,212,213)の開口部を拡げ、支柱体(1A,1B)を溝(210,211,212,213)から取り外した後に、新たな表示板を取り付ければよい。
【００３０】
（表示板に掲示物を取付けまたは固定する場合）
掲示物(3)を溝(210,211,212,213)の部分と重なるように表示板(2A)表面へ当接させ、嵌着体又は支柱(1A,1B,4B)を掲示物(3)の縁部の上から押し当てて該溝(210,211,212,213)の内部へ押し込む。
そして、嵌着体又は支柱(1A,1B,4B)を押し込まれた後の溝(210,211,212,213)は、その形状が元の形に復帰するとともに、嵌着体又は支柱(1A,1B,4B)が係止部分(220)によって係止され、更に、係止部近傍に設けられた各溝又は隆起(240)により溝(210,211,212,213)が幅方向へ拡がることが抑止される。この結果、嵌着体又は支柱(1A,1B,4B)は溝(210,211,212,213)の開口部から脱落しないよう保持される。
【００３１】
掲示物(3)の縁部が嵌着体又は支柱(1A,1B,4B)と溝(210,211,212,213)により挟み込まれて固着されるので、掲示物(3)の縁部を各係止部分(220)が噛み込んだ状態となり、嵌着体又は支柱(1A,1B,4B)が溝(210,211,212,213)の開口部からより脱落しにくくなる。
なお、掲示物(3)を入れ替えたい場合は、表示板(2A)を撓ませて溝(210,211,212,213)の開口部を拡げ、嵌着体又は支柱(1A,1B,4B)を溝(210,211,212,213)から取り外した後に、新たな掲示物(3)を上記手順で取り付ければよい。
【００３２】
孔状又は溝状の掲示物嵌着部(250)が形成された表示板(2B)と、掲示物(3)を取着するための嵌入体(4A)を備えた表示装置(S3)であっては、該掲示物(3)を掲示物嵌着部(250)の部分と重なるように表示板(2B)表面へ当接させ、嵌入体(4A)を掲示物(3)の縁部の上から押し当てて該掲示物嵌着部(250)の内部へ押し込む。
この結果、掲示物(3)の一部が嵌入体(4A)と掲示物嵌着部(250)により挟み込まれて固着される。
なお、掲示物(3)を入れ替えたい場合は、嵌入体(4A)を引き抜き、又は、表示板(2B)を撓ませて掲示物嵌着部(250)の開口部を拡げ、嵌入体(4A)を掲示物嵌着部(250)から取り外した後に、新たな掲示物(3)を上記手順で取り付ければよい。
【００３３】
なお、溝(210,211,212,213)は、背面側へ隆起した部分が畝形状に各縁部を縁取るようになっており、突風などを受けた際の表示板(2A,2B)の捻れ又は撓みを防止又は軽減する補強部材の役割を果たす。
【００３４】
掲示物(3)を取着するための(4B)と、該嵌入体を着脱可能に嵌着する溝(210,211,212,213)を形成した表示板(2C)と、該表示板に取付けまたは固定されるシート又はフィルム状掲示物(3)と、表示板(2C)を取着対象物(6)に取り付けるための取着手段(7)を備えた表示装置(S4)については、まず、表示板(2C)を取着手段(7)によって取着対象物(6)に取り付ける。
【００３５】
次に、掲示物(3)を溝(210,212)と重なるように表示板(2C)表面へ当接させ、嵌入体(4B)を掲示物(3)の上から押し当てて該溝(210,212)の内部へ押し込む。すると、表示板(2C)が撓んで押し込まれた溝(210,212)の開口部が一時的に拡がり、嵌入体(4B)が溝(210,212)へ入り込む。
【００３６】
そして、嵌入体(4B)を押し込まれた後の溝(210,212)は、その形状が元の形に復帰するとともに、嵌入体(4B)が係止部分(220)によって係止され、更に、係止部近傍に設けられた各溝又は隆起(240)により溝が幅方向へ拡がることが抑止される。嵌入体(4B)は溝(210,212)の開口部から脱落しないよう保持される。
この結果、掲示物(3)の一部が嵌入体(4B)と溝(210,212)により挟み込まれて固着される。
なお、掲示物(3)を入れ替えたい場合は、嵌入体(4B)を引き抜き、又は、表示板(2C)を撓ませて溝(210,212)の開口部を拡げ、嵌入体(4B)を溝(210,212)から取り外した後に、新たな掲示物(3)を上記手順で取り付ければよい。
【発明の効果】
【００３７】
本発明によれば、次の効果を奏する。
(1)  表示板にシート又はフィルム状掲示物を取付けまたは固定するときは、掲示物を表示板上に広げ、この掲示物の上から嵌入体を溝に嵌め入れて嵌入体と溝との間で掲示物を挟着して表示板上に掲示物を取付けまたは固定できる。
表示板から掲示物を取除くときには、嵌入体を溝から取り出せばよい。
このように、嵌入体を溝に嵌め入れ或いは溝から取り出すことによって掲示物を表示板に着脱できるので、掲示物の交換作業が簡単に且つ速やかに行うことができる。
そればかりか、溝には、溝幅よりも狭く形成された又は溝側方向へ突設された係止部が設けられ、しかも係止部の近傍には、嵌入体が溝から取り外れる方向に係止部が動くのを防ぐか又は妨げる溝又は隆起が形成されているので、嵌入体が溝から脱落するのを防止でき、表示板へのシート又はフィルム状掲示物を取付けまたは固定も確実に行うことができる。
(2)  表示板は、可撓性又は弾性を有する合成樹脂のシート又はフィルムを真空成形又は圧空成形することにより形成してあり、溝は表示板の外縁近傍に設けられて表示板に所要の剛性を付与している。
従って薄い板厚の表示板であっても掲示物を掲示するのに所要な剛性を付与することができ、表示板自体の軽量化が図れると共に材料も少なくて済み省資源化も図ることができる。
(3)  表示板面には、溝が形成されているだけなので、表示板を重ねたときの嵩張りも最小限に止めることができることから保管や運搬が容易である。また、表示板に掲示物を取付けまたは固定する部品としては嵌入体だけであるから部品点数も僅かで済み、省資源化、製造コストの低減に貢献できる。
(4)  表示板を支える支柱を掲示物を固定する部材と兼用すれば掲示物の固定部材が不要となり、これによって部品点数が少なくなる。
【発明を実施するための最良の形態】
【００３８】
本発明の実施の形態を図面に基づき更に詳細に説明する。
［第１実施形態]
図１は第１実施形態の表示装置の分解斜視説明図、図２は第１実施形態の表示板の要部を拡大した正面視説明図、図３は図２に示す表示板のａ−ａ部分，ｂ−ｂ部分，ｃ−ｃ部分の断面図、図４は図２に示す表示板の要部を拡大した背面視説明図、である。
【００３９】
図１乃至図４に示す表示装置Ｓ１について説明する。
表示装置Ｓ１は、一対の棒状体である支柱体１Ａと、該支柱体１Ａへ着脱可能な表示板２Ａと、該表示板２Ａに着脱可能な掲示物３と、を備えている。
なお、本実施の形態では、支柱体１Ａと表示板２Ａは合成樹脂により形成されており、掲示物３は合成樹脂のシートに文字等を印刷したものを使用している。
【００４０】
また、本実施の形態では、表示板２Ａ自体には特に何も表示等されていないが、これに限定するものではなく、表示板２Ａ表裏両面に文字等を印刷したもの、或いは、表裏いずれか片面に印刷したものを使用してもよいし、印刷に代えてカッティングシートなどを貼り付けて文字等を表したものを使用してもよい。
【００４１】
表示板２Ａは、１ｍｍ厚の透明な合成樹脂の板状体を真空成型により平面視長方形に形成している。
表示板２Ａは、その周縁の縦及び横方向の各辺に沿って溝状に窪ませて形成された嵌着溝２１０，２１１，２１２，２１３（以下、嵌着溝２１０，２１１，２１２，２１３の全てを示す場合は「嵌着溝２１０〜２１３」と記載する。）が設けられている。
【００４２】
嵌着溝２１０，２１２は、表示板２Ａの左右の縁部近傍のほぼ縦方向にわたって形成されている。
上記嵌着溝２１０，２１２は、表示板２Ａの縁部まで延設されており、支柱体１Ａを嵌着した際に支柱体１Ａの基端側となる方の縁部が開口している。一方、上記嵌着溝２１０，２１２は、支柱体１Ａを嵌着した際に支柱体１Ａの先端側が位置する箇所を表示板２Ａの縁部の手前で閉塞しており、該閉塞箇所が支柱体先端停止部２３０となる。
嵌着溝２１１，２１３は、表示板２Ａの上下の縁部近傍であって、嵌着溝２１０，２１２の間を横方向にわたって形成されている。
【００４３】
上記嵌着溝２１０〜２１３には、該溝２１０〜２１３とほぼ直角に交差するように周方向へアーチ状に窪ませて形成された補強部２４０が設けられている（図４参照）。該補強部２４０は、５ｍｍの間隔を開けて２つ連続して形成されており、当該箇所を１セットとして、複数箇所に設けられている（図１及び２参照）。また、各１セットの補強部２４０は、各角部を除き、概ね８５ｍｍの間隔を開けて、各溝に複数箇所形成されている（図２参照）。
【００４４】
嵌着溝２１０〜２１３正面側開口部の上記補強部２４０近傍には、溝幅方向へ突設された係止爪２２０が複数設けられている（図２参照）。
【００４５】
掲示物３は、合成樹脂のシートに文字等を印刷したものであって、該シートが表示板２Ａに当接させた際にその嵌着溝２１０〜２１３が全て隠れる程度の大きさに形成されている。
【００４６】
（作  用）
図５は第１実施形態の表示装置を従来の表示部材セットに取り付けた斜視説明図である。
図１乃至図５を参照して、表示装置Ｓ１の作用を説明する。
（１）まず、掲示物３を表示板２Ａに当接させる。この際に、表示板２Ａに設けられた嵌着溝２１０〜２１３のうち、少なくとも嵌着溝２１０及び２１２が重なるように当接させる。なお、表示板２Ａは透明であるため、取付に際して掲示物３の表裏は問わない。
【００４７】
（２）次に、各支柱体１Ａを掲示物３の上から押し当てて嵌着溝２１０及び２１２へ押し込む。なお、各支柱体１Ａは、その先端が支柱体先端停止部２３０に当接するようにする。
各支柱体１Ａを嵌着溝２１０及び２１２へ押し込むと、表示板２Ａが撓み、一時的に嵌着溝２１０及び２１２が拡がって各支柱体１Ａが嵌着溝２１０及び２１２へ入り込む。
そして、支柱体１Ａを押し込まれた後の嵌着溝２１０及び２１２は、その形状が元の形に復帰するとともに、支柱体１Ａが係止爪２２０によって係止される。更に各補強部２４０により嵌着溝２１０及び２１２が幅方向へ拡がることが抑止される。
また、掲示物３の縁部を各係止爪２２０が噛み込んだ状態となるので、支柱体１Ａが溝２１０，２１２の開口部からより脱落しにくい。
この結果、支柱体１Ａは、嵌着溝２１０及び２１２の開口部から脱落しないよう保持される。
【００４８】
（３）掲示物３は可撓性又は柔軟性を備える素材であるため、上記作用により、掲示物３の両側縁部が支柱体１Ａと嵌着溝２１０及び２１２の間に挟み込まれて固着される。
【００４９】
（４）上記組立後の表示装置Ｓ１を立ち上げて掲示物３を表示する。
なお、図５に示すように、表示部材セット５側を挟持する部分と、支柱体１Ａの下端を挿入可能な上方に向けて開口した孔を備えた一対のアタッチメント５１０を介して、従来の表示部材セット５に表示装置Ｓ１を設置することができ、この場合、視点の高い位置に掲示物３が掲示されることにより、より高い視覚効果及び訴求効果が期待できる。
【００５０】
（５）異なる掲示物を表示したい場合は、支柱体Ａを外して現在表示している掲示物３を新たな掲示物に交換し、上記（１）〜（４）の工程を再度行う。
このように、表示板２Ａに取り付ける掲示物３の交換作業が簡単且つ速やかに行うことができ、更に掲示物３の固着を確実に行うことができる。
【００５１】
（６）なお、各嵌着溝２１０〜２１３は、背面側へ隆起した部分が畝形状に各縁部を縁取るようになっており、突風などを受けた際の表示板２の捻れ又は撓みを防止又は軽減する補強部材の役割を果たす。
【００５２】
（７）表示装置Ｓ１を構成する支柱体１Ａ及び表示板２Ａのみならず、掲示物３も合成樹脂のシートに印刷したものを使用しているので、不要となった表示装置Ｓ１を廃棄する時のゴミの分別作業が不要となる。また、表示装置Ｓ１の構成部材を同一素材により形成することで、製造コスト削減に寄与する。
【００５３】
（８）表示装置Ｓ１に係る表示板２Ａは透明であるため、掲示物３は裏表のどちら側を向けて取り付けても印刷面を表示することができる。同様に、掲示物３の表裏両面に文字等を印刷した場合は、表示板２Ａの表裏それぞれに印刷面を表示することができる。
【００５４】
［第２実施形態]
図６は第２実施形態の表示装置の分解斜視説明図である。図面に基づき、図６に示す表示装置Ｓ２について更に詳細に説明する。なお、先に説明した表示装置Ｓ１等と同一又は同等箇所については、重複した説明を省略する。
【００５５】
表示装置Ｓ２は、支柱体１Ｂと、該支柱体１Ｂへ着脱可能な表示板２Ａと、該表示板２Ａに着脱可能な掲示物３と、を備えている。
支柱体１Ｂは、合成樹脂の棒状体により形成されており、一対の支柱体間に、二本の棒状体が架設されている。
【００５６】
（作  用）
図６を参照して、表示装置Ｓ２の作用を説明する。なお、先に説明した表示装置Ｓ１等と同一の作用については、重複した説明を省略する。
（１）まず、掲示物３を表示板２Ａに当接させる。この際に、表示板２Ａに設けられた嵌着溝２１０〜２１３の全てに掲示物３が重なるように当接させる。
次に、支柱体１Ｂを掲示物３の上から押し当て、嵌着溝２１０〜２１３へ押し込む。
【００５７】
（２）支柱体１Ｂを嵌着溝２１０〜２１３へ押し込むと、表示板２Ａが撓み、一時的に嵌着溝２１０〜２１３が拡がって、支柱体１Ｂが嵌着溝２１０〜２１３へ入り込む。そして、嵌着溝２１０〜２１３へ支柱体１Ｂを押し込んだ後は、表示板２Ａが元の形状に復帰し、支柱体１Ｂは係止爪２２０によって係止される。この結果、支柱体１Ｂは嵌着溝２１０〜２１３の開口部から脱落しないよう保持される。
【００５８】
（３）掲示物３は可撓性又は柔軟性を備える素材であるため、上記作用により、掲示物３の両側縁部及び上下縁部が支柱体１Ｂと嵌着溝２１０〜２１３の間に挟み込まれて固着される。
上記組立後の表示装置Ｓ２を立ち上げて掲示物３を表示する。
なお、図５に示す表示装置Ｓ１と同様に、アタッチメント５１０を介して、従来の表示部材セット５に表示装置Ｓ２を設置することもできる。
【００５９】
（４）異なる掲示物を表示したい場合は、支柱体Ｂを外して現在表示している掲示物３を新たな掲示物に交換し、上記（１）〜（４）の工程を再度行う。
このように、表示板２Ａに取り付ける掲示物３の交換作業が簡単且つ速やかに行うことができ、更に掲示物３の固着を確実に行うことができる。
【００６０】
（５）また、表示装置Ｓ１と同様に、表示装置Ｓ２も構成部材を同一素材により形成しているので、廃棄する時のゴミの分別作業が不要であり、製造コスト削減に寄与する。
【００６１】
［第３実施形態]
図７は第３実施形態の表示装置の分解斜視説明図である。図面に基づき、図７に示す表示装置Ｓ３について更に詳細に説明する。なお、先に説明した表示装置Ｓ１又はＳ２と同一又は同等箇所については、重複した説明を省略する。
【００６２】
表示装置Ｓ３は、支柱体１Ｂと、該支柱体１Ｂへ着脱可能な表示板２Ｂと、該表示板２Ｂに着脱可能な掲示物３と、嵌入体４Ａと、を備えている。
なお、本実施の形態では、支柱体１Ｂと表示板２Ｂは合成樹脂により形成されており、嵌入体４Ａはゴムにより形成されており、掲示物３は合成樹脂のシートに文字等を印刷したものを使用している。
【００６３】
表示板２Ｂは、可撓性又は弾性を有する透明の板状体であり、前述の表示板２Ａと同様にその周縁の縦及び横方向の各辺に沿って溝状に窪ませて形成された嵌着溝２１０〜２１３が設けられている。なお、表示板２Ｂの嵌着溝２１０〜２１３は、表示板２Ａに係るものと同様の位置に設けられ且つ同様の構造であるため、その説明を省略する。
【００６４】
表示板２Ｂは、嵌着溝２１０〜２１３に囲まれた内側の箇所に、溝状に窪ませて形成された掲示物嵌着部２５０が設けられている。
上記掲示物嵌着部２５０は、嵌入体４Ａが挿入可能な深さ及び溝幅に設けられている。
【００６５】
本実施形態のおける掲示物３は、合成樹脂のシートに文字等を印刷したものであって、該シートが表示板２Ｂに当接させた際に、少なくとも嵌入体嵌着溝２５０が隠れる程度の大きさに形成されている。
【００６６】
嵌入体４Ａは、可撓性又は弾性を備えた棒状のゴムを正面視四角形の枠状体に形成している。
【００６７】
（作  用）
図７を参照して、表示装置Ｓ３の作用を説明する。なお、先に説明した表示装置Ｓ１等と同一の作用については、重複した説明を省略する。
【００６８】
掲示物３を、掲示物嵌着部２５０と重なるように表示板２Ｂ表面へ当接させ、嵌入体４を掲示物３の縁部の上から押し当てて該掲示物嵌着部２５０の内部へ押し込む。
この結果、掲示物３の一部が嵌入体４Ａと掲示物嵌着部２５０により挟み込まれて固着される。
【００６９】
なお、掲示物３を入れ替えたい場合は、嵌入体４Ａを引き抜き、又は、表示板２Ｂを撓ませて掲示物嵌着部２５０の開口部を拡げて、嵌入体４Ａを掲示物嵌着部２５０から取り外した後に、新たな掲示物を上記手順で取り付ければよい。
このため、表示板２Ｂから支持体１Ｂを取り外す作業を伴わずに、掲示物３の交換作業が可能である。
【００７０】
［第４実施形態]
図８は第４実施形態の表示装置を円柱に取着した状態を示した斜視説明図である。図面に基づき、図８に示す表示装置Ｓ４について更に詳細に説明する。なお、先に説明した表示装置Ｓ１等と同一又は同等箇所については、重複した説明を省略する。
【００７１】
表示装置Ｓ４は、掲示物３を取着するための嵌入体４Ｂと、該嵌入体と嵌合し着脱可能に形成された嵌着溝を備えた表示板２Ｃと、該表示板に着脱可能な可撓性又は柔軟性を有するシート状の掲示物３と、表示板２Ｃを取着対象物に取り付けるための取着手段を備えている。
なお、本実施の形態では、円柱６を取着対象物としており、また、取着手段として取着紐７を使用している。
【００７２】
表示板２Ｃは、可撓性又は弾性を有する合成樹脂の板状体であって、縦方向にわたって嵌入溝２１０，２１２が、横方向にわたって嵌入溝２１１，２１３が、それぞれ表示板２Ｃの外縁近傍に設けられている。該嵌入溝２１０〜２１３は嵌入体４Ｂを嵌着した後に脱落しない又は脱落しにくい程度の幅及び深さを備えている。
なお、横方向にわたる嵌入溝２１１，２１３には、切欠部が所用の間隔を開けて設けられている（図示省略）。
【００７３】
表示板２Ｃの上端及び下端の近傍であって左右の嵌着溝２１０，２１２の間には、取付紐通し孔２６０が設けられており、上部及び下部のそれぞれに２箇所ずつに設けられている。
【００７４】
上記嵌入溝２１０，２１２には、該溝２１０，２１２と交差するように周方向へ窪ませて形成された補強部２４０が所用の間隔を開けて複数箇所に形成してある。
上記補強部２４０の近傍には、溝幅方向へ突設された係止部分２２０が複数設けられている。
【００７５】
嵌入体４Ｂは、合成樹脂の棒状体であって、一対で一組となっており、嵌入溝２１０，２１２と略同じ長さに形成されている。
【００７６】
なお、本実施の形態では、表示板はその外縁に沿って縦及び横方向に嵌着溝が設けられているが、当該形態に限定されるものではなく、例えば、横方向の嵌着溝の無い表示板であって、円柱等に取着したときに幅方向に撓み、円柱周面に沿わせることが可能なもの、または、外縁に沿って縦及び横方向に嵌着溝が設けられている表示板であって、表示板の両側縁より中央が膨らんだ円柱面状に形成されたもの等であってもよい。
【００７７】
（作  用）
図８を参照して、表示装置Ｓ４の作用を説明する。なお、先に説明した表示装置Ｓ１等と同一の作用については、重複した説明を省略する。
（１）まず、表示板２Ｃに設けられた上下それぞれの隣り合う取付紐通し孔２６０に、取付紐７を通す。該取付紐７を円柱６に回しかけて緊縛し、表示板２Ｃを円柱６に取着する。
この時、表示板２Ｃを円柱６の円柱面に当接すると、横方向にわたる嵌入溝２１１，２１３に設けられた各切欠部の方向に曲がり、円柱面に沿って撓んでフィットする。
【００７８】
（２）次に、掲示物３が嵌入溝２１０，２１２と重なるように表示板２Ｃ表面へ当接させ、嵌入体４Ｂを掲示物３の上から押し当てて嵌入溝２１０，２１２の内部へ押し込む。
すると、表示板２Ｃが撓んで押し込まれた嵌入溝２１０，２１２の開口部が一時的に拡がり、嵌入体４Ｂが嵌入溝２１０へ入り込む。
【００７９】
（３）そして、嵌入体４Ｂを押し込まれた後の嵌入溝２１０，２１２は、その形状が元の形に復帰するとともに、嵌入体４Ｂが係止爪２２０によって係止され、更に各補強部２４０により嵌入溝が幅方向へ拡がることが抑止される。嵌入体４Ｂは嵌入溝２１０，２１２の開口部から脱落しないよう保持される。
この結果、掲示物３の一部が嵌入体４Ｂと嵌入溝２１０，２１２により挟み込まれて固着される。
なお、掲示物３を入れ替えたい場合は、嵌入体４Ｂを引き抜き、又は、表示板２Ｃを撓ませて溝２１０，２１２の開口部を拡げ、嵌入体４Ｂを嵌入溝２１０，２１２から取り外した後に、新たな掲示物を上記手順で取り付ければよい。
【００８０】
なお、上記の各実施形態では、１枚の表示板を使用しているが、これに限定するものではなく、支柱体を延設し、２枚以上の表示板を連結して使用することもできる。
その場合、少なくとも下方に位置する表示板は、支柱体先端停止部が形成されておらず上端が開口したものを使用し、上側の表示板の下方に位置する嵌着溝２１３と、下側の表示板の上方に位置する嵌着溝２１１を重ねて一方側の嵌着溝に嵌め入れて使用すると、表示板同士の連結が強固なものとなって好ましい。
【００８１】
上記の実施形態において、掲示物は、表示板に係る嵌着溝が全て隠れる程度の大きさか、表示板に係る嵌入体嵌着溝が全て隠れる程度の大きさ程度に形成されているが、これに限定するものではなく、例えば、左右に位置する嵌着溝又は上下に位置する嵌着溝のいずれか一対が隠れる程度の長さ又は幅に形成されていてもよい。この場合、掲示物が横長であれば左右に位置する嵌着溝等へ支柱体又は嵌入体を嵌め込む際に掲示物を挟み込んで固着することができ、掲示物が縦長であれば上下に位置する嵌着溝等へ支柱体又は嵌入体を利用して掲示物を挟み込んで固着することもできる。
また、掲示物は、表示板よりも大きく形成したものであってもよい。
掲示物が表示板と同じ大きさの場合は、掲示物が嵌着溝等に巻き込まれて表示板縁部が露出するが、掲示物を表示板よりも大きく形成した場合、表示板の縁部からはみ出る部分をカットして調整することで、表示板と取着後の掲示物の大きさを同じにすることができる。この結果、表示板縁部が露出しないので、審美性が向上する。
【００８２】
また、上記の各実施形態では、各補強部は、１セット２つずつ連続した凹部が設けられているが、この数に限定するものではなく、例えば、凹部は１つであってもよいし、３つ以上であってもよい。また、各補強部の間の距離等についても、記載された間隔の数値に限定するものではなく、任意に設定することができる。
【００８３】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【図面の簡単な説明】
【００８４】
【図１】第１実施形態の表示装置の分解斜視説明図。
【図２】第１実施形態の表示板の要部を拡大した正面視説明図。
【図３】図２に示す表示板のａ−ａ部分，ｂ−ｂ部分，ｃ−ｃ部分の断面図。
【図４】図２に示す表示板の要部を拡大した背面視説明図。
【図５】第１実施形態の表示装置を従来の表示部材セットに取り付けた斜視説明図
【図６】第２実施形態の表示装置の分解斜視説明図。
【図７】第３実施形態の表示装置の分解斜視説明図。
【図８】第４実施形態の表示装置を円柱に取着した状態を示した斜視説明図。
【符号の説明】
【００８５】
Ｓ１，Ｓ２，Ｓ３，Ｓ４    表示装置
１Ａ，１Ｂ    支柱体
２Ａ，２Ｂ，２Ｃ    表示板
２１０，２１１，２１２，２１３  嵌着溝
２２０  係止爪
２３０  支柱体先端停止部
２４０  補強部
２５０  嵌入体嵌着溝
２６０  取付紐通し孔
３      掲示物
４Ａ、４Ｂ    嵌入体
５      表示部材セット
５１０  アタッチメント
６      円柱
７      取着紐
【図２】
2009092962.tif 000003
【図３】
2009092962.tif 000004
【図４】
2009092962.tif 000005
【図１】
2009092962.tif 000006
【図５】
2009092962.tif 000007
【図６】
2009092962.tif 000008
【図７】
2009092962.tif 000009
【図８】
2009092962.tif 000010